(57)【特許請求の範囲】
【請求項１】
複数の伝熱管（６）と、
フィン（５０）の長手方向に並んでおり複数の前記伝熱管を厚み方向に貫通させる複数のカラー部（５８）と、前記フィンの長手方向に並んだカラー部の間において風上側から風下側に並んで配置され板厚方向の一方向側にのみ隆起した複数の切り起こしスリット（５１〜５５）と、を有する複数のフィン（５０）と、
を備え、
前記フィン（５０）の長手方向と前記フィン（５０）の板厚方向の両方に垂直な方向を第１方向とした場合において、
前記フィンの長手方向に並んでいる複数の前記カラー部の中心を結んだ部分よりも前記第１方向側に位置する低切り起こしスリット（５１）を有しており、
前記低切り起こしスリット（５１）の切り起こし高さ（Ｄ１）は、前記フィンの長手方向に並んでいる複数の前記カラー部の中心を結んだ部分よりも前記第１方向側とは反対側の第２方向側に位置する前記切り起こしスリット（５３〜５５）の切り起こし高さ（Ｄ２）の平均より低く、
前記切り起こし高さとは、前記低切り起こしスリットまたは前記切り起こしスリットの前記フィンの板厚方向における端部から当該端部とは反対側の端部までの板厚方向の長さであり、
前記フィンは、板厚が９５μｍ以上１２５μｍ以下であり、フィンピッチが１．０ｍｍ以上１．５ｍｍ以下であり、
前記低切り起こしスリットの切り起こし高さから前記フィンの板厚を差し引いた値を、前記フィンピッチから前記フィンの板厚を差し引いた値で除して得られる値が、０．３５未満である、
熱交換器（４１、８０）。
【請求項２】
前記第１方向側は風下側であり、
前記第２方向側は風上側である、
請求項１に記載の熱交換器（４１）。
【請求項３】
前記フィンの長手方向に並んでいる複数の前記カラー部の中心を結んだ部分よりも風上側に位置する前記切り起こしスリット（５３〜５５）の切り起こし高さ（Ｄ２）の平均は、前記フィンピッチの０．４５以上０．６０以下である、
請求項２に記載の熱交換器。
【請求項４】
前記低切り起こしスリット（５１）は、複数の前記切り起こしスリットのうち最も風下側に位置している、
請求項２または３に記載の熱交換器。
【請求項５】
風下側が重力方向下側を向くように前記フィンの長手方向が傾斜して配置された部分を有している、
請求項２から４のいずれか１項に記載の熱交換器。
【発明の詳細な説明】
【技術分野】
【０００１】
本発明は、熱交換器に関する。
【背景技術】
【０００２】
従来より、熱交換器のフィン表面にスリットを設けることで、伝熱面積の向上を図ることが提案されている。
【０００３】
例えば、特許文献１（特開平１０−２０６０８５号公報）に記載の熱交換器では、通過する空気の気流について伝熱管の風下側の死流域を有効に減少させることができるように、切り起こしスリットの形態を工夫することが提案されている。
【発明の開示】
【発明が解決しようとする課題】
【０００４】
ところが、上記特許文献１に記載の熱交換器では、蒸発器として用いられた場合に生じる結露水の飛散を抑制することについて、なんら検討されていない。
【０００５】
例えば、フィンの長手方向および板厚方向の両方に垂直な方向の端部（例えば、風下側端部および／または重力方向下方側端部）において、フィン表面で生じた結露水が切り起こしスリットの先端と隣り合うフィンとの間で表面張力の作用により保持されてしまうと、さらに結露水が集まることで水滴が大きく成長することがある。このように水滴が大きく成長すると、やがてフィンから飛散してしまうおそれがある。
【０００６】
本発明は上述した点に鑑みてなされたものであり、本発明の課題は、熱交換効率を高めつつ結露水の飛散を抑制することが可能な熱交換器を提供することにある。
【課題を解決するための手段】
【０００７】
第１観点に係る熱交換器は、複数の伝熱管と、複数のフィンと、を備えている。フィンは、複数のカラー部と、複数の切り起こしスリットと、を有している。複数のカラー部は、フィンの長手方向に並んでおり、複数の伝熱管を厚み方向に貫通させる。複数の切り起こしスリットは、フィンの長手方向に並んだカラー部の間において風上側から風下側に並んで配置されており、板厚方向の一方向側にのみ隆起している。フィンの長手方向とフィンの板厚方向の両方に垂直な方向を第１方向とした場合において、フィンの長手方向に並んでいる複数のカラー部の中心を結んだ部分よりも第１方向側に位置する低切り起こしスリットを有している。低切り起こしスリットの切り起こし高さは、フィンの長手方向に並んでいる複数のカラー部の中心を結んだ部分よりも第１方向側とは反対側の第２方向側に位置する切り起こしスリットの切り起こし高さの平均より低い。切り起こし高さとは、低切り起こしスリットまたは切り起こしスリットのフィンの板厚方向における端部から当該端部とは反対側の端部までの板厚方向の長さである。フィンは、板厚が９５μｍ以上１２５μｍ以下であり、フィンピッチが１．０ｍｍ以上１．５ｍｍ以下である。低切り起こしスリットの切り起こし高さからフィンの板厚を差し引いた値を、フィンピッチからフィンの板厚を差し引いた値で除して得られる値が、０．３５未満である。なお、低切り起こしスリットと第２方向側に位置する他の切り起こしスリットとの切り起こし高さの関係は、熱交換器のフィンにおいて少なくとも一部分において採用されていれば当該部分において効果を得ることができるため、必ずしも熱交換器のフィンの全体において採用されている必要はないが、熱交換器のフィンの全体において採用されていることが好ましい。
【０００８】
この熱交換器では、フィンには複数の切り起こしスリットが設けられているため、熱交換効率を高めることが可能になる。また、第１方向側に位置する低切り起こしスリットの切り起こし高さが第１方向側とは反対側の第２方向側に位置する切り起こしスリットの切り起こし高さの平均より低くなるように構成されており、低切り起こしスリットの先端と隣り合うフィンとを大きく離して配置させることができている。このため、低切り起こしスリットの先端と隣り合うフィンとの間では、結露水が保持されて大きく成長することが抑制され、結露水の第１方向側への飛散を低減させることが可能になる。
【０００９】
また、この熱交換器では、フィンピッチが短いため、切り起こしフィンと隣り合うフィンとの間の距離が短くなりがちな場合であっても、風下側の切り起こしフィンの高さを低くすることで結露水の飛散を抑制することができる。
【００１０】
第２観点に係る熱交換器は、第１観点に係る熱交換器であって、第１方向側は風下側であり、第２方向側は風上側である。
【００１１】
フィン表面で生じた結露水は、空気流れによってフィンの風下側に集まりやすい。そして、フィンの風下側において切り起こしスリットの先端と隣り合うフィンとの間で表面張力が作用するようにして結露水が保持されてしまうと、結露水が大きく成長して、やがてフィンから風下側に向けて飛散してしまうおそれがある。
【００１２】
これに対して、この熱交換器では、風下側に位置する低切り起こしスリットの切り起こし高さが、より風上側に位置している切り起こしスリットの切り起こし高さの平均よりも低く構成されているため、フィンの風下側に位置している低切り起こしスリットの先端と隣り合うフィンとの間で結露水が保持されて大きく成長することが抑制され、結露水の風下側への飛散を低減させることが可能になる。
【００１３】
第３観点に係る熱交換器は、第２観点に係る熱交換器であって、フィンの長手方向に並んでいる複数のカラー部の中心を結んだ部分よりも風上側に位置する切り起こしスリットの切り起こし高さの平均は、フィンピッチの０．４５以上０．６０以下である。なお、低切り起こしスリットの高さを、フィンピッチの０．０５以上０．４０以下としてもよい。
【００１４】
この熱交換器では、風上側では十分に熱交換効率を高めつつ、風下側では結露水の保持を抑制できる。
【００１５】
第４観点に係る熱交換器は、第２観点または第３観点に係る熱交換器であって、低切り起こしスリットは、複数の切り起こしスリットのうち最も風下側に位置している。
【００１６】
この熱交換器では、結露水が多く集まる最も風下側において、結露水が切り起こしフィンと隣り合うフィンとの間に保持されることを抑制できる。
【００１７】
第５観点に係る熱交換器は、第２観点から第４観点のいずれかに係る熱交換器であって、風下側が重力方向下側を向くようにフィンの長手方向が傾斜して配置された部分を有している。
【００１８】
この熱交換器では、熱交換器が傾斜して配置されることで、結露水がフィンを鉛直下方に沿うように流れにくい場合であっても、結露水の飛散を抑制することが可能になる。
【発明の効果】
【００１９】
第１観点に係る熱交換器では、熱交換効率を高めつつ、結露水の飛散を低減させることが可能になり、風下側の切り起こしフィンの高さを低くすることで結露水の飛散を抑制することができる。
【００２０】
第２観点に係る熱交換器では、結露水の風下側への飛散を低減させることが可能になる。
【００２１】
第３観点に係る熱交換器では、風上側では十分に熱交換効率を高めつつ、風下側では結露水の保持を抑制できる。
【００２２】
第４観点に係る熱交換器では、結露水が切り起こしフィンと隣り合うフィンとの間に保持されることを抑制できる。
【００２３】
第５観点に係る熱交換器では、結露水がフィンを鉛直下方に沿うように流れにくい場合であっても、結露水の飛散を抑制することが可能になる。
【図面の簡単な説明】
【００２４】
【図１】本発明の一実施形態に係る熱交換器を備える空気調和装置の概略構成図。
【図２】本発明の一実施形態に係る熱交換器を備える室内機の断面図。
【図３】フィンのスリットの配置説明図。
【図４】フィンのスリットの形状説明図。
【図５】各スリットの高さの違いの説明図（図３のＰ−Ｐ断面図。）。
【図６】他の実施形態Ａに係る室内機の外観斜視図。
【図７】他の実施形態Ａに係る室内機の断面図。
【図８】他の実施形態Ｂに係る各スリットの高さの違いの説明図。
【発明を実施するための形態】
【００２５】
以下、本発明に係る熱交換器を備える空気調和装置の実施形態について、図面に基づいて説明する。なお、本発明に係る熱交換器の具体的な構成は、下記の実施形態およびその変形例に限られるものではなく、発明の要旨を逸脱しない範囲で変更可能である。
【００２６】
（１）空気調和装置１の概略構成
図１に、空気調和装置１の冷媒回路１０を示す冷媒回路図を示す。
【００２７】
空気調和装置１は、熱源側装置としての室外機２と、利用側装置としての室内機４とが冷媒配管によって接続されて、利用側装置が配置された空間の空気調和を行う。この空気調和装置１は、冷媒回路１０、各種センサおよび制御部７０を有している。
【００２８】
冷媒回路１０は、圧縮機２１、四路切換弁２２、室外熱交換器２３、室外膨張弁２４、アキュームレータ２５、室外ファン２６、室内熱交換器４１、および、室内ファン４２等を備えており、これらが接続されること構成されている。
【００２９】
なお、圧縮機２１、四路切換弁２２、室外熱交換器２３、室外膨張弁２４、アキュームレータ２５、および、室外ファン２６は、室外機２内に収容されている。
【００３０】
また、室内熱交換器４１および室内ファン４２は、室内機４内に収容されている。
【００３１】
四路切換弁２２は、冷房運転サイクルと暖房運転サイクルとを切換可能である。図１では、冷房運転を行う際の接続状態を実線で示し、暖房運転を行う際の接続状態を点線で示している。暖房運転時には、室内熱交換器４１が冷媒の冷却器として、室外熱交換器２３が冷媒の加熱器として機能する。冷房運転時には、室外熱交換器２３が冷媒の冷却器として、室内熱交換器４１が冷媒の加熱器として機能する。
【００３２】
なお、室内機４内には、室内温度センサ４３が設けられている。この室内温度センサ４３は、室内空気の吸入口側に配置され、室内機４が室内から取り込んで、室内熱交換器４１を通過する前の温度（すなわち、室内温度）を検出する。
【００３３】
制御部７０は、室外機２内に配置される機器を制御する室外制御部７２、室内機４内に配置されている機器を制御する室内制御部７４、ユーザからの各種設定入力を受け付けたり各種表示出力を行ったりするコントローラ７１、および、各種センサが、通信線７０ａによって接続されることで構成されている。この制御部７０は、空気調和装置１を対象とした種々の制御を行う。
【００３４】
（２）室内機４の配置構成
図２に、室内機４の断面図を示す。なお、特に断らない限り、以下、図２における左側を前面側、右側を背面側、上側を天面側、紙面手前側を右側、紙面奥行側を左側として説明する。
【００３５】
室内機４は、筐体４ａ、室内熱交換器４１、室内ファン４２、水平フラップ１７、垂直フラップ１８等を有して構成されている。
【００３６】
筐体４ａは、上述した室内熱交換器４１、室内ファン４２等を内部に収容しており、前面グリル４５ａ、天面板４５ｂ、背面板４５ｃ、吹出し流路上面板４５ｄ、吹出し流路下面板４５ｅ、図示しない左右の側板等を有して構成されている。
【００３７】
前面グリル４５ａは、室内ファン４２が駆動することにより室内の空気を筐体４ａの前面側から内側に取り込めるように、開口（図示せず）が設けられている。同様に、天面板４５ｂには、室内ファン４２が駆動することにより室内の空気を筐体４ａの天面側から内側に取り込めるように、開口（図示せず）が設けられている。背面板４５ｃは、室内熱交換器４１や室内ファン４２の背面側および吹出し流路下面板４５ｅ等の背面側を覆うように設けられている。吹出し流路上面板４５ｄは、室内ファン４２の前側下方付近からさらに前側下方に向けて延びており、吹出し流路の上面を構成している。吹出し流路下面板４５ｅは、室内ファン４２の背面上方付近から背面側下方に向けて延びた後に前面側下方に向けて延びており、吹出し流路の下面を構成している。
【００３８】
水平フラップ１７は、上述した吹出し流路の下流側端部である吹出口４５ｆを覆うことができるように設けられている。水平フラップ１７は、運転中は、吹出口４５ｆを開放し、傾斜角度が調節されることにより、調和空気の吹き出し高さ方向を調節可能になっている。
【００３９】
垂直フラップ１８は、吹出し流路内部において水平フラップ１７よりも上流側に設けられている。運転中は、垂直フラップ１８が吹き出し方向に略垂直な方向の軸を軸心として角度調節が行われることにより、調和空気の左右方向の吹き出し方向を調節することが可能になっている。
【００４０】
室内ファン４２は、回転軸方向を図２の紙面の奥行き方向とするクロスフローファンである。室内ファン４２が回転駆動することにより、図２に示すように、前面グリル４５ａを介して室内熱交換器４１に向かう空気流れＦ１と、天面板４５ｂを介して室内熱交換器４１に向かう空気流れＦ２と、吹出し流路上面板４５ｄと吹出し流路下面板４５ｅで囲われた吹き出し流路を介して吹出口４５ｆから室内に送られる空気流れＦ３と、を生じさせる。
【００４１】
室内熱交換器４１は、側面視において両端が下方に向いて屈曲する逆Ｖ字状となるように配置されている。室内熱交換器４１は、板厚方向に所定のフィンピッチで複数枚配置されて構成されたフィン群５が、内部を冷媒が流れる複数本の伝熱管６によって貫通されて構成された、いわゆるフィンチューブ式熱交換器である。
【００４２】
なお、フィン群５を構成するフィン５０の一枚当たりの板厚は、例えば、９５μｍ以上１２５μｍ以下である。また、フィンピッチ（ＦＰ：図５に示すように板厚を含む間隔）は、１．０ｍｍ以上１．５ｍｍ以下であることが好ましく、１．２ｍｍ以上１．４ｍｍ以下であることがより好ましい。
【００４３】
この室内熱交換器４１は、前面側の前面側室内熱交換器４１ａと、背面側の背面側室内熱交換器４１ｂと、によって構成されている。
【００４４】
前面側室内熱交換器４１ａは、室内ファン４２の前面側の下方から前面側の上方に掛けて位置している。前面側室内熱交換器４１ａは、下端部分から室内ファン４２の中央部分の高さ位置よりもわずかに高い位置にかけて、わずかに前面側に傾斜するように伸びている。前面側室内熱交換器４１ａは、室内ファン４２の中央部分の高さ位置よりもわずかに高い位置から上方は、背面側に向けて傾斜するように伸びている。前面側室内熱交換器４１ａのフィン５０のうち上方部分は、長手方向が水平面に対して２０度以上６０度以下の程度で傾斜して設置されている。これにより、後述のフィン５０の第１スリット５１の端部が、伝熱管６の真下に位置している。
【００４５】
背面側室内熱交換器４１ｂは、室内ファン４２の背面側上方に位置しており、前面側室内熱交換器４１ａの上端近傍から背面側下方に向けて延びている。
【００４６】
（３）室内熱交換器４１のフィン５０の構成
以下、図３を参照しながら、室内熱交換器４１のうち、特に、前面側室内熱交換器４１ａのフィン５０を例に挙げて説明する。なお、背面側室内熱交換器４１ｂは、配置の傾斜姿勢以外は、前面側室内熱交換器４１ａと同様である。
【００４７】
前面側室内熱交換器４１ａのフィン５０は、板厚方向に複数の伝熱管６を貫通させるカラー部５８と、第１〜第５スリット５１〜５５を有して構成されている。なお、前面側室内熱交換器４１ａは、空気流れＦの方向に２列に並んで一体化するように設けられており、当該２列の間には熱伝導を抑制するためのミシン目５９が所々に設けられている。
【００４８】
カラー部５８は、フィン５０の長手方向に所定間隔で並んでおり、空気流れＦの風上側と風下側で互い違いになるように配置されている。
【００４９】
第１〜第５スリット５１〜５５は、空気流れＦの風下側の部分において、各カラー部５８の間に配置されている。なお、空気流れＦの風上側の部分にも同様にスリットが設けられており、ミシン目５９を軸として第１〜第５スリット５１〜５５と線対称となるようにしつつ、ミシン目５９の長手方向に伝熱管６の間隔の半分だけずれるようにして設けられている。
【００５０】
第１スリット５１は、空気流れＦの最も風下側に位置するスリットであり、フィン５０の風下側端部に沿うように長手方向に伸びている。第１スリット５１は、図４の側面視配置説明図に示すように、フィン５０を板厚方向に隆起させることで、隆起している部分と隆起していない部分との間に空気流れＦを通過させることが可能になるように構成されている。
【００５１】
第２スリット５２は、第１スリット５１よりも空気流れＦの風上側であって、近接する伝熱管６同士を結ぶラインよりも風下側に位置するスリットであり、第１スリット５１と同様に長手方向に伸びている。また、スリットが隆起して構成されることについては、第２スリット５２、第３スリット５３、第４スリット５４、第５スリット５５についても同様となっている。
【００５２】
第３スリット５３は、第２スリット５２よりも空気流れＦの風上側であって、近接する伝熱管６同士を結ぶラインよりも風上側に位置するスリットであり、第２スリット５２と同様に長手方向に伸びている。
【００５３】
第４スリット５４と第５スリット５５とは、フィン５０の風下側の部分において最も風上側に位置しており、所定の間隔を開けて長手方向に伸びつつ並んで配置されている。
【００５４】
（４）第１スリット５１と他の第２〜第５スリット５２〜５５との高さについて
図３のＰ−Ｐ断面の図５に示すように、第２スリット５２のフィン５０の板厚方向の高さは、高さＤ２となるように構成されており、第１スリット５１の高さＤ１のほうが低くなるように構成されている。なお、ここで、各スリットの高さは、板厚方向におけるスリットの端部から当該端部とは反対側の端部までの板厚方向の長さをいう。
【００５５】
また、第１スリット５１以外の第１スリット５１よりも風上側に位置する他の第２〜第５スリット５２〜５５は、いずれも、第１スリット５１の高さＤ１より高い高さＤ２（すなわち、第２〜第５スリット５２〜５５の平均高さもＤ２）で同じ高さとなるように構成されている。
【００５６】
ここで、第２〜第５スリット５２〜５５の高さＤ２は、フィンピッチＦＰの４５％以上６０％以下となるように構成されている。
【００５７】
第１スリット５１の高さＤ１は、フィンピッチＦＰの５％以上４０％未満となるように構成されている。また、より好ましくは、第１スリット５１の高さＤ１は、第１スリットの高さＤ１からフィン５０の板厚を差し引いた値を、フィンピッチＦＰからフィン５０の板厚を差し引いた値で除して得られる値が０．３５未満になることが好ましい。
【００５８】
（５）室内熱交換器４１のフィン５０の特徴
本実施形態のフィン５０には複数のスリット（第１〜第５スリット５１〜５５）が設けられており、通過する空気をフィン５０に接触させやすくすることができているため、熱交換効率を高めることができている。
【００５９】
そして、上記フィン５０のうち風下側のフィンに位置する第２〜第５スリット５２〜５５の平均高さＤ２よりも、最も風下側に位置する第１スリット５１の高さＤ１が低くなるように構成されている。このため、第２〜第５スリット５２〜５５とその隣（図５でいう左側）のフィン５０との間隔よりも、第１スリット５１とその隣（図５でいう左側）のフィン５０との間隔のほうが広くなるように構成することができている。したがって、最も風下側における第１スリット５１と隣り合うフィン５０との間を十分に広く確保したため、室内熱交換器４１が冷媒の蒸発器として機能する冷房運転時にフィン５０において結露水が生じたとしても、当該結露水が第１スリット５１と隣り合うフィン５０とによって保持されて大きく成長することが抑制され、結露水の飛散を低減させることが可能になっている。特に、結露水は、空気流れＦによって風上側に集まりやすく、第１スリット５１周辺においては多くの結露水が集まるが、その場合であっても結露水が保持されにくく、飛散を抑制することができている。
【００６０】
また、上記室内熱交換器４１のフィン５０の板厚は９５μｍ以上１２５μｍ以下であり、フィンピッチＦＰは１．０ｍｍ以上１．５ｍｍ以下であり、密に積層されていることから、熱交換容量を高めることができている。このように熱交換容量を高めることで、フィン５０同士の間の隙間が小さくなることで結露水が隣り合うフィン５０とスリットとの間で保持されがちになる場合であっても、最も風下側の第１スリット５１については高さＤ１を低くすることができているため、結露水の保持を抑制できている。
【００６１】
また、上記室内熱交換器４１は、水平面に対して傾斜して配置されており、伝熱管６の真下にも第１スリット５１の一部が存在する配置となっている。このため、伝熱管６の下方に集まって伝熱管６において表面張力で保持されることで成長した結露水が、自重によって当該伝熱管６から脱落した場合には、第１スリット５１において保持されうることになる。これに対して、第１スリット５１の高さＤ１が低く構成されているため、伝熱管６の下方で成長した結露水が流れ落ちてくることがあっても、第１スリット５１と隣り合うフィン５０との間で当該結露水が保持されにくくすることができている。
【００６２】
さらに、最も風下側で結露水が集まりやすい第１スリット５１部分では、高さＤ１が低く構成されているため、隣り合うフィン５０との間が広く構成されている。このため、第１スリット５１と隣り合うフィン５０との間を通過する空気流れＦは、その流速が速くなりすぎない。したがって、結露水が速い流速によって吹き飛ばされて飛散することが抑制されている。
【００６３】
（６）他の実施形態
上記実施形態では、本発明の実施形態の一例を説明したが、上記実施形態はなんら本願発明を限定する趣旨ではなく、上記実施形態には限られない。本願発明は、その趣旨を逸脱しない範囲で適宜変更した態様についても当然に含まれる。
【００６４】
（６−１）他の実施形態Ａ
他の実施形態Ａに係る空気調和装置の冷媒回路構成および室外機の構成は、上記実施形態と同様であり、説明を省略する。
【００６５】
図６に、他の実施形態Ａに係る空気調和装置の室内機１０４の外観斜視図を示す。
【００６６】
図７に、室内機１０４の断面図（本体３０の長手方向視の断面図）を示す。
【００６７】
室内機１０４は、天井設置型の室内機であって、下面に吸込口３２ａおよび吹出口３３ａを有する本体３０と、吸込口３２ａを開閉するフラットパネル３２と、吹出口３３ａを開閉する風向調節羽根３３と、フィルタ３４、掃除機構３５、室内熱交換器８０、室内ファン６０、および、ドレンパン３７を備えている。
【００６８】
本体３０の下面は、天井面に沿うように配置される化粧パネル３１によって覆われている。吸込口３２ａおよび吹出口３３ａは、この化粧パネル３１における板厚方向に貫通した開口として形成されている。
【００６９】
吸込口３２ａおよび吹出口３３ａは、それぞれ化粧パネル３１の長手方向に沿うように伸びている。吸込口３２ａと吹出口３３ａとは、本体３０の長手方向とは垂直な方向に一定距離を隔てて設けられており、吹出口３３ａから吹き出された空気が吸込口３２ａに吸い込まれるというショートサーキットが生じにくいように配置されている。
【００７０】
フラットパネル３２は、運転停止時には吸込口３２ａの全体を実質的に覆うように閉じ、運転時には長手方向を軸方向として回動することで吸込口３２ａを開くことが可能となるようにモータによって傾斜角度が調整される。
【００７１】
風向調節羽根３３は、運転停止時には吹出口３３ａの全体を実質的に覆うように閉じ、運転時には長手方向を軸方向として回動することで吹出口３３ａを開くことが可能となるようにモータによって傾斜角度が調整される。
【００７２】
室内ファン６０は、本体３０の内部に設けられたクロスフローファンであり、幅寸法が直径よりも長く、回転軸と垂直な方向から空気を吸い込んで吹き出す。
【００７３】
本体３０内には、発泡スチロール３６が設けられることで、吸込口３２ａから室内ファン６０までの空気流路である吸込流路３６ａが設けられている。
【００７４】
また、本体３０内には、発泡スチロール３８が設けられることで、室内ファン６０から吹出口３３ａまでの空気流路である吹出流路３８ａが設けられている。この吹出流路３８ａのうち室内ファン６０とドレンパン３７との間には吹出空気の吹出流路３８ａからの漏れを防止するための舌部３９が設けられている。本実施形態においては、下部熱交換器８２の下端部が、舌部３９の下方に位置するように配置されている。
【００７５】
空調運転時には、吸込口３２ａおよび吹出口３３ａが開いた状態で室内ファン６０が回転することで、室内の空気が吸込口３２ａを介して本体３０内部に吸い込まれ、吸込流路３６ａを通過する。その後、室内熱交換器１２における熱交換を終えて、吹出流路３８ａを通過した後に吹出口３３ａから吹き出される。
【００７６】
室内ファン６０の上流側に配置されている室内熱交換器８０は、互いに異なる傾斜姿勢で隣接して配置された上部熱交換器８１と、下部熱交換器８２とを有している。
【００７７】
上部熱交換器８１の長手方向は、上端から下端に向かって傾斜する角度が鉛直方向に対して４５°以下となるように配置されている。
【００７８】
下部熱交換器８２は、上部熱交換器８１の下端に近接から風下側下方に向けて傾斜するように配置されている。下部熱交換器８２の長手方向は、上端から下端に向かって傾斜する角度が鉛直方向に対して４５°を超えるように配置されている。
【００７９】
なお、本実施形態において、上部熱交換器８１の長手方向の長さは、下部熱交換器８２の長手方向の長さよりも長く構成されている。
【００８０】
ドレンパン３７は、下部熱交換器８２の下方全域および上部熱交換器８１の下端部分の下方領域において広がるようにして配置されている。ここで、室内熱交換器８０のうちの上部熱交換器８１は鉛直方向に対して４５°以下の傾斜角度で設けられているため、上部熱交換器８１の上方おいて生じた結露水は、鉛直下方のドレンパン３７の存在していない領域にそのまま落下することなく、上部熱交換器８１のフィン表面を沿って風下側に導かれるように流れ、ドレンパン３７に到達しやすくなっている。他方、下部熱交換器８２は鉛直方向に対して４５°を超えるように傾斜して配置されているため、下部熱交換器８２の表面で生じた結露水がそのまま鉛直下方に落下することがあるが、ドレンパン３７は下部熱交換器８２の下方全域を覆っているため当該結露水を確実に捕らえることが可能になっている。以上により、ドレンパン３７は、室内熱交換器８０の下方全域を覆う必要がなく、下部熱交換器８２の下方全域と上部熱交換器８１の下端部分の下方領域のみにおいて広がるように設けられている。
【００８１】
なお、室内熱交換器８０のうち下方がドレンパン３７によって覆われていない部分は、その下方に吸込流路３６ａが位置しており、吸込口３２ａまで繋がっている。
【００８２】
フィルタ３４は、室内熱交換器８０に対して空気流れ上流側の吸込流路３６ａを覆うように設けられており、室内から取り込まれる空気に含まれる塵埃を捕集する。フィルタ３４の一部は、上部熱交換器８１の上端近傍部分の鉛直下方部分に位置している。このフィルタ３４に対しては掃除機構３５が設けられている。掃除機構３５は、ローラー３５ａ、ブラシ３５ｂ、ダストボックス３５ｃ等を有している。モータによってピニオン歯車が駆動するとローラー３５ａが回転し、フィルタ３４は、フィルタ収納枠内まで移動する。ここで、フィルタ３４が捕捉していた集塵がブラシ３５ｂによって取り除かれる。このようにして取り除かれた集塵は、ダストボックス３５ｃ内に集められる。
【００８３】
上述した他の実施形態Ａの室内機１０４の室内熱交換器８０も、空気流れ方向を除いて上記実施形態の室内熱交換器４１と同様に第１〜第５スリットを有している。すなわち、より鉛直方向上方（風下側）に位置する第２〜第５スリットの平均高さよりも、最も鉛直方向下方（最も風上側）に位置する第１スリットの高さが低くなるように構成されている。
【００８４】
これにより、第２〜第５スリットの高さ方向先端部分とその隣のフィンとの間隔よりも、鉛直方向下方に位置している第１スリットの高さ方向先端部分とその隣のフィンとの間隔のほうが広くなるように構成することができている。したがって、室内熱交換器４１が冷媒の蒸発器として機能する冷房運転時にフィンにおいて結露水が生じたとしても、最も鉛直方向下方における第１スリットと隣り合うフィンとの間を十分に広く確保することで、当該結露水が第１スリットと隣り合うフィンとの間で保持されて大きく成長することが抑制される。すなわち、フィンの鉛直方向下端近傍において結露水が集まりつつ大きく成長することが抑制される。これにより、上部熱交換器８１のうち鉛直下方がドレンパン３７によって覆われていない部分の鉛直方向下端近傍（空気流れ上流側端部近傍）からの吸込口３２ａ側に向かう結露水の飛散を低減させることが可能になっている。
【００８５】
なお、運転中は、室内ファン６０によって生じる空気流れが室内熱交換器８０を斜め下方から斜め上方に向けて通過するため、例えば、上部熱交換器８１で生じた結露水は鉛直下方に落下しにくく、空気流れによって下流側に導かれやすい。これに対して、運転を停止し、室内ファン６０が停止することで室内熱交換器８０を斜め下方から斜め上方に向けて通過する空気流れが無くなり、運転停止時直後に上部熱交換器８１に残っていた結露水は空気流れによって下流側に導かれることなく自重で鉛直下方に向かいやすくなる。この場合であっても、上部熱交換器８１の上流側端部において結露水が保持されにくいため、鉛直方向下端近傍での結露水の成長を抑制し、吸込口３２ａ側に向かう結露水の飛散を抑制することが可能になる。
【００８６】
（６−２）他の実施形態Ｂ
上記実施形態および他の実施形態Ａでは、最も風下側に位置している第１スリット５１のみが高さが低い室内熱交換器４１を例に挙げて説明した。
【００８７】
しかし、本発明はこれに限られるものではなく、例えば、図８に示す室内熱交換器２４１のように、最も風下側に位置する第１スリット５１だけでなく、風下側の伝熱管６の中心を結んだラインよりも風下側に位置する第２スリット２５２の高さＤ１についても、風下側の伝熱管６の中心を結んだラインよりも風上側に位置する第３〜第５スリット５３〜５５の平均高さＤ２よりも低くなるように構成されていてもよい。
【符号の説明】
【００８８】
１  空気調和装置
５  フィン群
６  伝熱管
４１  室内熱交換器（熱交換器）
４１ａ  前面側室内熱交換器
４１ｂ  背面側室内熱交換器
５０  フィン
５１  第１スリット（低切り起こしスリット、スリット）
５２  第２スリット（スリット）
５３〜５５  第３〜第５スリット（スリット）
５８  カラー部
５９  ミシン目
８０  室内熱交換器（熱交換器）
８１  上部熱交換器
８２  下部熱交換器
２５２  第２スリット（低切り起こしスリット、スリット）
ＦＰ  フィンピッチ
【先行技術文献】
【特許文献】
【００８９】
【特許文献１】特開平１０−２０６０８５号公報
【図１】
0005994835.tif 000002
【図２】
0005994835.tif 000003
【図３】
0005994835.tif 000004
【図４】
0005994835.tif 000005
【図５】
0005994835.tif 000006
【図６】
0005994835.tif 000007
【図７】
0005994835.tif 000008
【図８】
0005994835.tif 000009